(57)【要約】【課題】プリント基板を簡単な構造でカードエッジコネクタ側に固定する。【解決手段】コネクタハウジングとプリント基板とを収容するケースを備え、コネクタハウジングは断面コ字形状で、少なくとも上壁内面に電線端末に接続された端子が並設され、該端子群の先端の電気接触部がコネクタハウジングの開口側の上壁内面に並列されている一方、プリント基板の一辺に沿った少なくとも上面に端子が並設され、プリント基板が端子並設側からコネクタハウジングの開口に挿入されてコネクタハウジング側の端子と接続され、プリント基板のコネクタハウジング挿入側の両側隅部に係止部が設けられている一方、ケースの下壁または／および上壁にプリント基板挿入時に係止部と係止する被係止部が設けられている。【選択図】図５
2012022945.tif 000002
【特許請求の範囲】
【請求項１】
断面コ字形状のコネクタハウジングの少なくとも上壁の内面に電線端末に接続された端子が並設され、これら端子群の先端の電気接触部が前記コネクタハウジングの開口側の少なくとも上壁内面に並列されている一方、プリント基板の一辺に沿った少なくとも上面に端子が並設され、端子並設側から前記プリント基板が前記コネクタハウジングの前記開口から挿入されてコネクタハウジング側の端子と接続され、
前記プリント基板のコネクタハウジング挿入側の両側隅部に係止部が設けられている一方、前記コネクタハウジングの下壁または／および上壁に前記プリント基板挿入時に前記係止部と係止する被係止部が設けられていることを特徴とするカードエッジコネクタ。
【請求項２】
前記プリント基板に設ける係止部は係止穴であり、前記コネクタハウジングに設ける被係止部は屈曲棒であり、該屈曲棒の中央はコネクタハウジングに支持され、前記プリント基板の挿入時に前記屈曲棒の一方側はプリント基板で押し下げられる一方、他方側が押し上げられて前記係止穴に挿入されるものである請求項１に記載のカードエッジコネクタ。
【請求項３】
前記プリント基板に設ける前記係止部は凸部または凹部からなり、前記コネクタハウジングに設ける被係止部は前記凸部と係止する凹部または前記凹部に係止する凸部である請求項１に記載のカードエッジコネクタ。
【請求項４】
前記プリント基板に設ける前記係止部は係止穴からなり、前記コネクタハウジングに設ける被係止部も係止穴とし、これら係止穴を連通させてロック片を差し込んで固定する構成としている請求項１に記載のカードエッジコネクタ。
【請求項５】
前記ロック片は前記コネクタハウジングの係止穴にスプリングを介して収容している請求項４に記載のカードエッジコネクタ。
【請求項６】
前記コネクタハウジングの上下壁の対向する内面にそれぞれワイヤハーネスの電線と接続された端子が並設され、前記プリント基板のコネクタ挿入側の上下面に端子が並設されている請求項１乃至請求項５のいずれか１項に記載のカードエッジコネクタ。
【請求項７】
コネクタハウジングとプリント基板とを収容するケースを備え、該ケースの一辺にコネクタハウジング挿入口を設けると共に対向辺にプリント基板挿入口を設け、
前記コネクタハウジングは断面コ字形状で、少なくとも上壁内面に電線端末に接続された端子が並設され、これら端子群の先端の電気接触部が前記コネクタハウジングの開口側の上壁の内面に並列されている一方、プリント基板の一辺に沿った少なくとも上面に端子が並設され、該プリント基板が端子並設側から前記コネクタハウジングの前記開口に挿入されてコネクタハウジング側の端子と接続され、
前記プリント基板のコネクタハウジング挿入側の両側隅部に係止部が設けられている一方、前記ケースの下壁または／および上壁に前記プリント基板挿入時に前記係止部と係止する被係止部が設けられていることを特徴とするカードエッジコネクタ。
【発明の詳細な説明】
【技術分野】
【０００１】
本発明はカードエッジコネクタに関し、詳しくは、カードエッジコネクタに挿入したプリント基板のガタつきや位置ずれを防止して、信頼性の高い電気接続を可能とするものである。
【背景技術】
【０００２】
従来、電線端末に接続された端子とプリント基板の端縁に沿って並設された薄板状の端子とを電気接続するカードエッジコネクタとして、例えば、特開２００１−１３５４００号公報（特許文献１）に示されるものが挙げられる。
前記特許文献１のカードエッジコネクタ１は、図７に示すように、両側面に開口３ａ、４ａを設けたコネクタハウジング２を有している。コネクタハウジング２内には、一側面の開口３ａより電線ｗ端末に接続された端子５が挿入される複数の端子収容室３が上下２段に分かれて形成されていると共に、他方側の開口４ａよりプリント基板７が挿入される基板挿入空間４が形成されている。基板挿入空間４は、プリント基板７の端縁に沿って上下面に並設した端子（図示せず）が上下段の端子収容室３を臨むように形成されており、端子収容室３内に並設された電線端末の端子５の先端側に設けられた電気接触部６が基板挿入空間４に挿入されたプリント基板７の各端子に弾性的に当接して電気接続される構成としている。
【先行技術文献】
【特許文献】
【０００３】
【特許文献１】特開２００１−１３５４００号公報
【発明の概要】
【発明が解決しようとする課題】
【０００４】
前記構成のカードエッジコネクタ１では、挿入されたプリント基板７を端子収容室３内の電気接触部６が所要の弾性力で圧接することにより、プリント基板７を所定位置に保持すると共に電線ｗ端末の端子５とプリント基板７の端子を電気接続している。しかし、前記プリント基板７は振動や衝撃等によってガタつきや位置ずれをおこす場合があり、安定した電気接続状態が得られなくなるおそれがある。
【０００５】
本発明は、カードエッジコネクタに挿入したプリント基板を簡単な構造でカードエッジコネクタ側に固定してガタつきや位置ずれを防止して、電線端末の端子とプリント基板の端子との接続信頼性を高めることを課題としている。
【課題を解決するための手段】
【０００６】
前記課題を解決するため、第１の発明は、断面コ字形状のコネクタハウジングの少なくとも上壁の内面に電線端末に接続された端子が並設され、これら端子群の先端の電気接触部が前記コネクタハウジングの開口側の少なくとも上壁内面に並列されている一方、プリント基板の一辺に沿った少なくとも上面に端子が並設され、端子並設側から前記プリント基板が前記コネクタハウジングの前記開口から挿入されてコネクタハウジング側の端子と接続され、
前記プリント基板のコネクタハウジング挿入側の両側隅部に係止部が設けられている一方、前記コネクタハウジングの下壁または／および上壁に前記プリント基板挿入時に前記係止部と係止する被係止部が設けられていることを特徴とするカードエッジコネクタを提供している。
【０００７】
前記のように、第１の発明では、プリント基板のコネクタハウジング挿入側の両側隅部に係止部を設けると共に、プリント基板挿入時に前記係止部と係止する被係止部をコネクタハウジングの下壁または／および上壁に設ける構成としている。よって、一辺に沿った少なくとも上面に端子を並設したプリント基板をコネクタハウジングの開口から挿入すると、該コネクタハウジングの開口側の上壁内面に並設した電気接触部が前記プリント基板の端子と接触し、電線端末の端子とプリント基板の端子とが電気接続されると共に、プリント基板に設けた前記係止部がコネクタハウジングに設けた前記被係止部に係止してプリント基板をコネクタハウジングに確実に固定することができる。よって、挿入後のプリント基板のガタつきや位置ずれを簡易な構造で防止することができ、電線端末の端子とプリント基板の端子との接続信頼性を高めることができる。また、前記係止部と被係止部とのロックがコネクタハウジング内で行えるため、ロック部をコネクタハウジングの外面側に設けて突出箇所を増やすものに比べて、カードエッジコネクタを小型化できる。
【０００８】
前記プリント基板に設ける係止部は係止穴であり、前記コネクタハウジングに設ける被係止部は屈曲棒であり、該屈曲棒の中央はコネクタハウジングに支持され、前記プリント基板の挿入時に前記屈曲棒の一端側はプリント基板で押し下げられる一方、他端側が押し上げられて前記係止穴に挿入される構成とすることができる。
前記屈曲棒はプリント基板の挿入が完了した位置で該屈曲棒の他端側が前記係止穴に挿入されるように配置しておく必要がある。屈曲棒の形状としては、例えば略Ｌ字形状とし、中央であるＬ字の屈曲部に支軸ピンを挿通して該屈曲棒をコネクタハウジングに回転可能に支持させていることが好ましい。
【０００９】
また、前記プリント基板に設ける前記係止部は凸部または凹部からなり、前記コネクタハウジングに設ける被係止部は前記凸部と係止する凹部または前記凹部に係止する凸部としてもよい。この際、前記凹部および凸部はプリント基板の挿入が完了した位置で凹凸嵌合されるように配置しておく必要がある。
【００１０】
さらに、前記プリント基板に設ける前記係止部は係止穴からなり、前記コネクタハウジングに設ける被係止部も係止穴とし、これら係止穴を連通させてロック片を差し込んで固定する構成としてもよい。この際、前記プリント基板およびコネクタハウジングに設ける係止穴は、プリント基板の挿入が完了した位置で連通するように配置しておく必要がある。
ロック片は、プリント基板とコネクタハウジングの係止穴を連通させた後、コネクタハウジングの外面側から連通した係止穴に圧入するようにしてもよい。また、前記ロック片を前記コネクタハウジングの係止穴にスプリングを介して収容し、プリント基板とコネクタハウジングの係止穴が連通するとスプリングの弾性復帰により前記ロック片がプリント基板側の係止穴に差し込まれる構造としてもよい。
【００１１】
前記コネクタハウジングの上下壁の対向する内面にそれぞれワイヤハーネスの電線端末に接続された端子が並設され、前記プリント基板のコネクタ挿入側の上下面に端子が並設されていることが好ましい。
【００１２】
前記構成によれば、ワイヤハーネスの電線端末に接続された端子をコネクタハウジングの上下壁の対向する内面にそれぞれ並設し、コネクタ挿入側の上下面に端子を並設したプリント基板をコネクタハウジングの開口から挿入することによって、コネクタハウジングの上壁内面に並設した電線端末の端子とプリント基板上面に並設した端子とを電気接続できると共に、コネクタハウジングの下壁内面に並設した電線端末の端子とプリント基板下面に並設した端子とを電気接続できる。
【００１３】
第２の発明は、コネクタハウジングとプリント基板とをケース内に収容している。
具体的には、第２の発明は、コネクタハウジングとプリント基板とを収容するケースを備え、該ケースの一辺にコネクタハウジング挿入口を設けると共に対向辺にプリント基板挿入口を設け、
前記コネクタハウジングは断面コ字形状で、少なくとも上壁内面に電線端末に接続された端子が並設され、これら端子群の先端の電気接触部が前記コネクタハウジングの開口側の上壁の内面に並列されている一方、プリント基板の一辺に沿った少なくとも上面に端子が並設され、該プリント基板が端子並設側から前記コネクタハウジングの前記開口に挿入されてコネクタハウジング側の端子と接続され、
前記プリント基板のコネクタハウジング挿入側の両側隅部に係止部が設けられている一方、前記ケースの下壁または／および上壁に前記プリント基板挿入時に前記係止部と係止する被係止部が設けられていることを特徴とするカードエッジコネクタを提供している。
【００１４】
前記第２の発明では、コネクタハウジングおよびプリント基板を収容するケースとを一体化したケース付きのカードエッジコネクタであり、前記のように、プリント基板のコネクタハウジング挿入側の両側隅部に係止部を設けると共に、プリント基板挿入時に前記係止部と係止する被係止部をケースの下壁または／および上壁に設ける構成としている。よって、プリント基板の挿入によって電線端末の端子とプリント基板の端子とが電気接続されると共に、プリント基板に設けた前記係止部がケースに設けた前記被係止部に係止してプリント基板をケースに確実に固定することができる。よって、挿入後のプリント基板のガタつきや位置ずれを簡易な構造で防止することができ、電線端末の端子とプリント基板の端子との接続信頼性を高めることができる。また、前記係止部と被係止部とのロックがケース内で行えるため、ロック部をケースの外面側に設けて突出箇所を増やすものに比べて、ケースを小型化できる。
なお、ケースは、コネクタハウジングと別体としてもよいが、コネクタハウジングと一体的に成形してもよい。
【発明の効果】
【００１５】
前述したように、本発明によれば、プリント基板のコネクタハウジング挿入側の両側隅部に係止部を設けると共に、プリント基板挿入時に前記係止部と係止する被係止部をコネクタハウジング（第１の発明）またはケース（第２の発明）の下壁または／および上壁に設ける構成としている。よって、プリント基板の挿入によって電線端末の端子とプリント基板の端子とが電気接続されると共に、プリント基板に設けた前記係止部がコネクタハウジングまたはケースに設けた前記被係止部に係止して、プリント基板をコネクタハウジングまたはケースに確実に固定することができる。したがって、挿入後のプリント基板のガタつきや位置ずれを簡単な構造で防止することができ、電線端末の端子とプリント基板の端子との接続信頼性を高めることができる。
【図面の簡単な説明】
【００１６】
【図１】第１実施形態におけるカードエッジコネクタを示し、（Ａ）はプリント基板が挿入された状態のカードエッジコネクタの平面図、（Ｂ）は電線端末の端子挿入側から見た斜視図、（Ｃ）はプリント基板挿入側から見た斜視図である。
【図２】図１のＡ−Ａ断面図である。
【図３】（Ａ）は図１のＢ−Ｂ断面図、（Ｂ）は屈曲棒の一端がプリント基板に押し下げられる前の状態を示す断面図である。
【図４】（Ａ）、（Ｂ）はプリント基板に設けられる係止部とコネクタハウジングに設けられる被係止部の別の例を示す側面図である。
【図５】第２実施形態におけるケース付きカードエッジコネクタを示し、（Ａ）はプリント基板が挿入された状態のカードエッジコネクタの平面図、（Ｂ）はコネクタハウジング挿入側から見た斜視図、（Ｃ）はプリント基板挿入側から見た斜視図である。
【図６】（Ａ）は図５のＣ−Ｃ断面図、（Ｂ）は屈曲棒の一端がプリント基板に押し下げられる前の状態を示す断面図である。
【図７】従来例を示す図面である。
【発明を実施するための形態】
【００１７】
以下、本発明のカードエッジコネクタの実施形態を図１〜図６を参照して説明する。
図１〜図４は第１実施形態を示す。第１実施形態のカードエッジコネクタ１０は、一側面側にプリント基板挿入開口１４を有する断面コ字形状のコネクタハウジング１１を備えている。樹脂製のコネクタハウジング１１は、図１および図２に示すように、上壁１１ａ、下壁１１ｂ、前記上下壁１１ａ、１１ｂの中間に配置される中間壁１１ｃを有しており、上壁１１ａと中間壁１１ｃとの間、下壁１１ｂと中間壁１１ｃとの間の上下２段に、左右方向に並列する複数の端子収容室１２を設けている。各端子収容室１２にワイヤハーネスＷ／Ｈの電線ｗ端末に接続された端子２０を挿入係止することで、コネクタハウジング１１の対向する上壁１１ａおよび下壁１１ｂの内面に端子２０を並設している。
【００１８】
電線ｗ端末の端子２０は、電線接続部２１と基板接続部２２を備えており、電線接続部２１は絶縁被覆バレル２１ａと芯線バレル２１ｂからなると共に、基板接続部２２は本体部２２ａと電気接触部２２ｂからなる。基板接続部２２の本体部２２ａは電線接続部２１の先端に形成した角筒状（底壁２２ａ−１および両側壁２２ａ−２を有する形状）で、電気接触部２２ｂは基端部を本体部２２ａの底壁２２ａ−１に接続し、底壁２２ａ−１および両側壁２２ａ−２で囲まれた本体部２２ａ内で折り返し状に形成した弾性接触片としている。
【００１９】
前記コネクタハウジングの中間壁１１ｃの前端は上下壁１１ａ、１１ｂの前端より後方に位置させ、中間壁１１ｃの前端より前方側にプリント基板挿入空間１３を設けている。即ち、各端子収容室１２に並設した端子２０の先端側の電気接触部２２ｂがプリント基板挿入空間１３を臨むようにプリント基板挿入空間１３を形成している。
【００２０】
コネクタハウジング１１のプリント基板挿入開口１４から挿入されるプリント基板３０の上下両面には回路を形成する導体パターン（図示せず）を形成していると共に所要の電気部品（図示せず）を実装しており、プリント基板３０のコネクタ挿入側の一辺に沿った上下面には、薄板状導体からなる複数の端子３１を並設している。
【００２１】
即ち、本実施形態のカードエッジコネクタ１０では、コネクタハウジング１１のプリント基板挿入開口１４からプリント基板挿入空間１３にプリント基板３０を端子並設側から挿入すると、上段の端子収容室１２に収容された電線端末の端子２０の電気接触部２２ｂがプリント基板３０の上面側の端子３１に弾性的に当接して電気接続され、下段の端子収容室１２に収容された電線端末の端子２０の電気接触部２２ｂがプリント基板３０の下面側の端子３１に弾性的に当接して電気接続される構造としている。
【００２２】
また、本実施形態では、図１および図３に示すように、挿入するプリント基板３０のコネクタ挿入側の両側隅部に係止穴３２からなる係止部を設ける一方、コネクタハウジング１１の下壁１１ｂにはプリント基板３０の挿入が完了したときに前記両隅の係止穴３２にそれぞれ係止する屈曲棒１５を被係止部として設けている。屈曲棒１５は略Ｌ字形状とし、中央の屈曲部に支軸ピン１６を挿通して屈曲棒１５をコネクタハウジング１１に回転可能に支持させている。プリント基板３０の挿入時には、図３（Ｂ）の状態にある屈曲棒の一端側１５ａがプリント基板３０で押し下げられる一方、他端側１５ｂが押し上げられて挿入完了と同時に他端側１５ｂが係止穴３２に挿入されるようにしている［図３（Ａ）］。
【００２３】
前記のように、本実施形態では、プリント基板３０のコネクタハウジング挿入側の両側隅部に係止穴３２からなる係止部を設けると共に、プリント基板３０挿入時に前記係止穴３２に係止される屈曲棒１５からなる被係止部をコネクタハウジング１１の下壁１１ｂに設ける構成としている。よって、プリント基板３０の挿入によって電線ｗ端末の端子２０とプリント基板３０の端子３１とが電気接続されると共に、プリント基板３０に設けた係止穴３２にコネクタハウジングに設けた屈曲棒１５の他端側が挿入係止してプリント基板３０をコネクタハウジング１１に確実に固定することができる。したがって、挿入後のプリント基板３０のガタつきや位置ずれを簡単な構造で防止することができ、電線ｗ端末の端子２０とプリント基板３０の端子３１との接続信頼性を高めることができる。
【００２４】
なお、本実施形態では、前記屈曲棒１５からなる被係止部をいずれもコネクタハウジング１１の下壁１１ｂに設けているが、いずれも上壁１１ａに設けていてもよいし、一方をコネクタハウジング１１の上壁１１ａに、他方をコネクタハウジング１１の下壁１１ｂに設けていてもよい。
【００２５】
また、プリント基板３０に設ける係止部として、図４（Ａ）に示すように、プリント基板３０下面のコネクタ挿入側の両側隅部に凹部３３を設けると共に、プリント基板３０挿入時に前記両隅の凹部３３に係止する凸部１７からなる被係止部をコネクタハウジング１１の下壁１１ｂにそれぞれ設ける構成としてもよい。スムーズな基板挿入のために、凸部１７にスプリング１７ａを内在させてもよい。
さらに、プリント基板３０に設ける係止部として、図４（Ｂ）に示すように、プリント基板３０のコネクタ挿入側の両側隅部に係止穴３４を設けると共に、プリント基板３０挿入時に前記両隅の係止穴３４にそれぞれ連通する係止穴１８からなる被係止部をコネクタハウジング１１の下壁１１ｂに設け、連通させた係止穴３４、１８に円柱状のロック片３５をコネクタハウジング１１の外面側より圧入してプリント基板３０とコネクタハウジング１１を固定する構成としてもよい。
また、前記ロック片をコネクタハウジングの係止穴にスプリングを介して収容し、プリント基板とコネクタハウジングの係止穴が連通するとスプリングの弾性復帰により前記ロック片がプリント基板側の係止穴に差し込まれる構造としてもよい。
【００２６】
図５および図６は第２実施形態を示す。
第２実施形態では、図５に示すようにコネクタハウジング１１とプリント基板３０を収容するケース４０と一体化したケース付きのカードエッジコネクタ１００とし、プリント基板３０をコネクタハウジング１１より広幅とすると共に、プリント基板３０のコネクタハウジング挿入側の両側隅部に設けた係止部（係止穴３２）に係止される被係止部（屈曲棒４３）を、図６のようにケース４０の下壁４０ｂに設けている点以外は第１実施形態と同様としている。
なお、ケース４０には、一辺にコネクタハウジング挿入口４１を、対向辺にプリント基板挿入口４２を設けている。ケース４０は、コネクタハウジング１１と別体としてもよいが、コネクタハウジング１１と一体的に成形してもよい。
【００２７】
前記のように、本実施形態では、プリント基板３０のコネクタハウジング挿入側の両側隅部に係止穴３２からなる係止部を設けると共に、プリント基板３０挿入時に前記係止穴３２に係止される屈曲棒４３からなる被係止部をケース４０の下壁４０ｂに設ける構成としている。よって、プリント基板３０の挿入によって電線ｗ端末の端子２０とプリント基板３０の端子３１とが電気接続されると共に、プリント基板３０に設けた係止穴３２にケース４０に設けた屈曲棒４３の他端側４３ｂが挿入係止してプリント基板３０をケース４０に確実に固定することができる。したがって、挿入後のプリント基板３０のガタつきや位置ずれを簡単な構造で防止することができ、電線ｗ端末の端子２０とプリント基板３０の端子３１との接続信頼性を高めることができる。
【００２８】
なお、本実施形態では、前記屈曲棒４３からなる被係止部をいずれもケース４０の下壁４０ｂに設けているが、いずれも上壁４０ａに設けていてもよいし、一方をケース４０の上壁４０ａに、他方をケース４０の下壁４０ｂに設けていてもよい。
また、前記係止部と被係止部を図４（Ａ）、（Ｂ）と同様の構成としてもよい。  
【符号の説明】
【００２９】
１０、１００  カードエッジコネクタ
１１  コネクタハウジング
１１ａ  上壁
１１ｂ  下壁
１４  プリント基板挿入開口
１５、４３  屈曲棒
１７  凸部
１８、３２、３４  係止穴
２０  （電線端末の）端子
２２ｂ  電気接触部
３０  プリント基板
３１  （プリント基板の）端子
３３  凹部
３５  ロック片
４０  ケース
４０ａ  上壁
４０ｂ  下壁
４１  コネクタハウジング挿入口
４２  プリント基板挿入口
【図１】
2012022945.tif 000003
【図２】
2012022945.tif 000004
【図３】
2012022945.tif 000005
【図４】
2012022945.tif 000006
【図５】
2012022945.tif 000007
【図６】
2012022945.tif 000008
【図７】
2012022945.tif 000009